(57)【要約】【課題】画像信号が長距離伝送される場合でも良好な画像を取得することができる信号伝送システム及びその制御方法を提供する。【解決手段】送信装置１０の同期信号・画像信号重畳回路１１ａ，１１ｂが複数の画像信号のうち、少なくとも１つの画像信号に同期信号を重畳し、重畳信号として受信装置２０に出力し、受信装置２０の同期信号・画像信号分離回路２１ａ，２１ｂが重畳信号に含まれる画像信号及び同期信号を分離し、アナログディレイ回路２３ａ，２３ｂが他の画像信号に対する分離された画像信号の遅延量を調整し、制御マイコン２５及びディレイ回路２４ａ，２４ｂが分離された同期信号の遅延量を調整する（図２，図４）。【選択図】図４
2009130442.tif 000002
【特許請求の範囲】
【請求項１】
複数の画像信号のうち、少なくとも１つの画像信号に同期信号を重畳し、重畳信号として受信装置に出力する重畳手段を有する送信装置と、
前記重畳信号に含まれる画像信号及び同期信号を分離する分離手段、
他の画像信号に対する前記分離された画像信号の遅延量を調整する第１調整手段、及び
前記分離された同期信号の遅延量を調整する第２調整手段を有する受信装置と
を備えることを特徴とする信号伝送システム。
【請求項２】
前記第２調整手段は、前記分離された同期信号の遅延量を入力する入力手段を備えることを特徴とする請求項１に記載の信号伝送システム。
【請求項３】
前記第２調整手段は、前記画像信号の遅延量と同一の遅延量となるように、前記分離された同期信号の遅延量を自動調整することを特徴とする請求項１又は２に記載の信号伝送システム。
【請求項４】
前記第１調整手段は、遅延量の異なる複数の第１遅延素子を備え、
前記第２調整手段は、前記複数の第１遅延素子とそれぞれ同一の遅延量を有する複数の第２遅延素子を備え、
前記受信装置は、さらに、前記他の画像信号の入力に応じてカウントを開始し、前記分離された画像信号の入力に応じてカウントを終了するカウント手段、前記カウント手段のカウント値をデコードするデコード手段、前記複数の第１遅延素子及び前記複数の第２遅延素子の中から前記デコード手段でデコードされたカウント値に対応する第１遅延素子及び第２遅延素子を選択する選択手段を備えていることを特徴とする請求項３に記載の信号伝送システム。
【請求項５】
重畳信号に含まれる画像信号及び同期信号を分離する分離手段、及び
他の画像信号に対する前記分離された画像信号の遅延量を調整する第１調整手段を有する受信装置と、
前記受信装置に送信される前の同期信号の遅延量を調整する第２調整手段、及び
前記重畳信号に含まれる対象の画像信号に前記第２調整手段で調整された遅延量を有する同期信号を重畳し、前記重畳信号として前記受信装置に出力する重畳手段を有する送信装置と
を備えることを特徴とする信号伝送システム。
【請求項６】
前記第２調整手段は、前記画像信号の遅延量と同一の遅延量となるように、前記受信装置に送信される前の同期信号の遅延量を自動調整することを特徴とする請求項５に記載の信号伝送システム。
【請求項７】
前記第１調整手段は、遅延量の異なる複数の第１遅延素子を備え、
前記第２調整手段は、前記複数の第１遅延素子とそれぞれ同一の遅延量を有する複数の第２遅延素子を備え、
前記受信装置は、前記他の画像信号の入力に応じてカウントを開始し、前記分離された画像信号の入力に応じてカウントを終了するカウント手段、前記カウント手段のカウント値をデコードするデコード手段、前記複数の第１遅延素子の中から前記デコード手段でデコードされたカウント値に対応する第１遅延素子を選択する第１選択手段を備え、
前記送信装置は、前記複数の第２遅延素子の中から前記デコード手段でデコードされたカウント値に対応する第２遅延素子を選択する第２選択手段を備えていることを特徴とする請求項６に記載の信号伝送システム。
【請求項８】
送信装置及び受信装置を有する信号伝送システムの制御方法であって、
前記送信装置は、複数の画像信号のうち、少なくとも１つの画像信号に同期信号を重畳し、重畳信号として受信装置に出力し、
前記受信装置は、前記重畳信号に含まれる画像信号及び同期信号を分離し、他の画像信号に対する前記分離された画像信号の遅延量を調整し、前記分離された同期信号の遅延量を調整することを特徴とする信号伝送システムの制御方法。
【請求項９】
送信装置及び受信装置を有する信号伝送システムの制御方法であって、
前記受信装置は、重畳信号に含まれる画像信号及び同期信号を分離し、他の画像信号に対する前記分離された画像信号の遅延量を調整し、
前記送信装置は、前記受信装置に送信される前の同期信号の遅延量を調整し、前記重畳信号に含まれる対象の画像信号に当該調整された遅延量を有する同期信号を重畳し、前記重畳信号として前記受信装置に出力することを特徴とする信号伝送システムの制御方法。
【発明の詳細な説明】
【技術分野】
【０００１】
本発明は、長距離（例えば数百メートル）で画像信号の送信が可能な信号伝送システム及びその制御方法に関する。
【背景技術】
【０００２】
従来より、コンピュータ等のアナログ画像信号、即ち、ＲＧＢ信号をCat5（category 5）ケーブル等にて遠隔地に送信する場合、ケーブルに含まれるＲ信号、Ｇ信号及びＢ信号を送信する複数の対線の実長の違いにより、遠隔地では、受信したＲ信号、Ｇ信号、及びＢ信号の間にずれが生じることが知られている。
【０００３】
このようなＲ信号、Ｇ信号、及びＢ信号の間のずれに対して、ディレイ素子を使用することで、Ｒ信号、Ｇ信号、及びＢ信号の間のずれを補正する遠隔システムが提案されている（例えば、特許文献１参照）。
【特許文献１】特開２００４−３５６９３９号公報
【発明の開示】
【発明が解決しようとする課題】
【０００４】
しかしながら、特許文献１の技術では、Ｒ信号、Ｇ信号、及びＢ信号の間のずれを補正することはできるものの、Ｒ信号、Ｇ信号、及びＢ信号とこれらと一緒に送信される同期信号との時間関係がずれることがある。このため、数百メートルのCat5（category 5）ケーブルを使って、ＲＧＢ信号を送信する場合には、表示の欠けや位置ずれなどが生じるおそれがある。
【０００５】
本発明の目的は、画像信号が長距離伝送される場合でも良好な画像を取得することができる信号伝送システム及びその制御方法を提供することにある。
【課題を解決するための手段】
【０００６】
上記目的を達成するため、本発明の信号伝送システムは、複数の画像信号のうち、少なくとも１つの画像信号に同期信号を重畳し、重畳信号として受信装置に出力する重畳手段を有する送信装置と、前記重畳信号に含まれる画像信号及び同期信号を分離する分離手段、他の画像信号に対する前記分離された画像信号の遅延量を調整する第１調整手段、及び前記分離された同期信号の遅延量を調整する第２調整手段を有する受信装置とを備えることを特徴とする。
【０００７】
かかる構成によれば、画像信号の遅延量だけでなく、同期信号の遅延量も調整されるので、画像信号が長距離伝送される場合でも良好な画像を取得することができる。
【０００８】
ここで、重畳手段は、図２の同期信号・画像信号重畳回路１１ａ，１１ｂに対応し、分離手段は、図４の同期信号・画像信号分離回路２１ａ，２１ｂに対応し、第１調整手段は、図４のアナログディレイ回路２３ａ，２３ｂに対応し、第２調整手段は、図４の制御マイコン２５及びディレイ回路２４ａ，２４ｂに対応する。また、第１調整手段は、図１２のディレイ素子６１ａ−１，６１ａ−２，６１ａ−３及びマルチプレクサ６５ａ、又は図１２のディレイ素子６１ｂ−１，６１ｂ−２，６１ｂ−３及びマルチプレクサ６５ｂに対応し、第２調整手段は、ディレイ素子６２ａ−１，６２ａ−２，６２ａ−３及びマルチプレクサ６６ａ又は図１２のディレイ素子６２ｂ−１，６２ｂ−２，６２ｂ−３及びマルチプレクサ６６ｂに対応する。
【０００９】
好ましくは、前記第２調整手段は、前記分離された同期信号の遅延量を入力する入力手段を備えることを特徴とする。
【００１０】
かかる構成によれば、ユーザが、分離された同期信号の遅延量を調整することができる。ここで、入力手段は、図２の制御マイコン２５に対応する。
【００１１】
好ましくは、前記第２調整手段は、前記画像信号の遅延量と同一の遅延量となるように、前記分離された同期信号の遅延量を自動調整することを特徴とする。
【００１２】
かかる構成によれば、画像信号の遅延量に合わせて、同期信号の遅延量も自動調整されるので、画像信号が長距離伝送される場合でも良好な画像を取得することができる。
【００１３】
より好ましくは、前記第１調整手段は、遅延量の異なる複数の第１遅延素子を備え、前記第２調整手段は、前記複数の第１遅延素子とそれぞれ同一の遅延量を有する複数の第２遅延素子を備え、前記受信装置は、さらに、前記他の画像信号の入力に応じてカウントを開始し、前記分離された画像信号の入力に応じてカウントを終了するカウント手段、前記カウント手段のカウント値をデコードするデコード手段、前記複数の第１遅延素子及び前記複数の第２遅延素子の中から前記デコード手段でデコードされたカウント値に対応する第１遅延素子及び第２遅延素子を選択する選択手段を備えていることを特徴とする。
【００１４】
かかる構成によれば、遅延量の異なる複数の第１遅延素子のうち、選択された第１遅延素子と同一の遅延量を有する第２遅延素子を用いて同期信号の遅延量が自動調整されるので、画像信号が長距離伝送される場合でも良好な画像を取得することができる。
【００１５】
ここで、複数の第１遅延素子は、図１２のディレイ素子６１ａ−１，６１ａ−２，６１ａ−３又はディレイ素子６１ｂ−１，６１ｂ−２，６１ｂ−３に対応し、複数の第２遅延素子は、図１２のディレイ素子６２ａ−１，６２ａ−２，６２ａ−３又はディレイ素子６２ｂ−１，６２ｂ−２，６２ｂ−３に対応する。カウント手段は、図１２のカウンタ６３ａ，６３ｂに対応し、デコード手段は、図１２のデコーダ６４ａ，６４ｂに対応し、選択手段は、図１２のマルチプレクサ６５ａ，６６ａ，６５ｂ，６６ｂに対応する。
【００１６】
上記目的を達成するため、本発明の信号伝送システムは、重畳信号に含まれる画像信号及び同期信号を分離する分離手段、及び他の画像信号に対する前記分離された画像信号の遅延量を調整する第１調整手段を有する受信装置と、前記受信装置に送信される前の同期信号の遅延量を調整する第２調整手段、及び前記重畳信号に含まれる対象の画像信号に前記第２調整手段で調整された遅延量を有する同期信号を重畳し、前記重畳信号として前記受信装置に出力する重畳手段を有する送信装置とを備えることを特徴とする。
【００１７】
かかる構成によれば、画像信号の遅延量だけでなく、同期信号の遅延量も調整されるので、画像信号が長距離伝送される場合でも良好な画像を取得することができる。
【００１８】
ここで、分離手段は、図１０の同期信号・画像信号分離回路２１ａ，２１ｂに対応し、第１調整手段は、図１０のアナログディレイ回路２３ａ，２３ｂに対応し、第２調整手段は、図１１のディレイ回路１３ａ，１３ｂに対応し、重畳手段は、図１１の同期信号・画像信号重畳回路１１ａ，１１ｂに対応する。また、分離手段は、図１３の同期信号・画像信号分離回路２１ａ，２１ｂに対応し、第１調整手段は、図１３のディレイ素子６１ａ−１，６１ａ−２，６１ａ−３及びマルチプレクサ６５ａ又は図１３のディレイ素子６１ｂ−１，６１ｂ−２，６１ｂ−３及びマルチプレクサ６５ｂに対応し、第２調整手段は、図１４のディレイ素子１４ａ−１，１４ａ−２，１４ａ−３及びマルチプレクサ１５ａ又は図１４のディレイ素子１４ｂ−１，１４ｂ−２，１４ｂ−３及びマルチプレクサ１５ｂに対応し、重畳手段は、図１４の同期信号・画像信号重畳回路１１ａ，１１ｂに対応する。
【００１９】
好ましくは、前記第２調整手段は、前記画像信号の遅延量と同一の遅延量となるように、前記受信装置に送信される前の同期信号の遅延量を自動調整することを特徴とする。
【００２０】
かかる構成によれば、画像信号の遅延量に合わせて、同期信号の遅延量も自動調整されるので、画像信号が長距離伝送される場合でも良好な画像を取得することができる。
【００２１】
より好ましくは、前記第１調整手段は、遅延量の異なる複数の第１遅延素子を備え、前記第２調整手段は、前記複数の第１遅延素子とそれぞれ同一の遅延量を有する複数の第２遅延素子を備え、前記受信装置は、前記他の画像信号の入力に応じてカウントを開始し、前記分離された画像信号の入力に応じてカウントを終了するカウント手段、前記カウント手段のカウント値をデコードするデコード手段、前記複数の第１遅延素子の中から前記デコード手段でデコードされたカウント値に対応する第１遅延素子を選択する第１選択手段を備え、前記送信装置は、前記複数の第２遅延素子の中から前記デコード手段でデコードされたカウント値に対応する第２遅延素子を選択する第２選択手段を備えていることを特徴とする。
【００２２】
かかる構成によれば、遅延量の異なる複数の第１遅延素子のうち、選択された第１遅延素子と同一の遅延量を有する第２遅延素子を用いて同期信号の遅延量が自動調整されるので、画像信号が長距離伝送される場合でも良好な画像を取得することができる。
【００２３】
ここで、複数の第１遅延素子は、図１３のディレイ素子６１ａ−１，６１ａ−２，６１ａ−３又はディレイ素子６１ｂ−１，６１ｂ−２，６１ｂ−３に対応し、複数の第２遅延素子は、図１４のディレイ素子１４ａ−１，１４ａ−２，１４ａ−３又は図１４のディレイ素子１４ｂ−１，１４ｂ−２，１４ｂ−３に対応する。カウント手段は、図１３のカウンタ６３ａ，６３ｂに対応し、デコード手段は、図１３のデコーダ６４ａ，６４ｂに対応する。第１選択手段は、図１３のマルチプレクサ６５ａ，６５ｂに対応し、第２選択手段は、図１４のマルチプレクサ１５ａ，１５ｂに対応する。
【００２４】
上記目的を達成するため、本発明の信号伝送システムの制御方法は、送信装置及び受信装置を有する信号伝送システムの制御方法であって、前記送信装置は、複数の画像信号のうち、少なくとも１つの画像信号に同期信号を重畳し、重畳信号として受信装置に出力し、前記受信装置は、前記重畳信号に含まれる画像信号及び同期信号を分離し、他の画像信号に対する前記分離された画像信号の遅延量を調整し、前記分離された同期信号の遅延量を調整することを特徴とする。
【００２５】
かかる構成によれば、画像信号の遅延量だけでなく、同期信号の遅延量も調整されるので、画像信号が長距離伝送される場合でも良好な画像を取得することができる。
【００２６】
上記目的を達成するため、本発明の信号伝送システムの制御方法は、送信装置及び受信装置を有する信号伝送システムの制御方法であって、前記受信装置は、重畳信号に含まれる画像信号及び同期信号を分離し、他の画像信号に対する前記分離された画像信号の遅延量を調整し、前記送信装置は、前記受信装置に送信される前の同期信号の遅延量を調整し、前記重畳信号に含まれる対象の画像信号に当該調整された遅延量を有する同期信号を重畳し、前記重畳信号として前記受信装置に出力することを特徴とする。
【００２７】
かかる構成によれば、画像信号の遅延量だけでなく、同期信号の遅延量も調整されるので、画像信号が長距離伝送される場合でも良好な画像を取得することができる。
【発明の効果】
【００２８】
本発明によれば、画像信号が長距離伝送される場合でも良好な画像を取得することができる。
【発明を実施するための最良の形態】
【００２９】
以下、図面を参照しながら本発明の実施の形態を説明する。
【００３０】
（第１の実施の形態）
図１は、本発明の第１の実施の形態に係る信号伝送システムの構成を示すブロック図である。
【００３１】
図１に示すように、信号伝送システムでは、サーバ３０とディスプレイ４０及びキーボードやマウス等（以下、キーボード／マウスという）５０との間に、送信装置１０と受信装置２０とが設けられている。
【００３２】
送信装置１０と受信装置２０とは、ＬＡＮケーブル１００を介して互いに接続されている。送信装置１０及び受信装置２０には、それぞれネットワークインタフェース（以下、インタフェースをＩ／Ｆと略す）１０Ａ及び２０Ａが組み込まれている。また、このネットワークＩ／Ｆ１０Ａ，２０Ａは、３つの画像信号（ＲＧＢ：以下、何れでもよい場合は単に画像信号という），水平同期信号（Hsync），垂直同期信号（Vsync）（以下、何れでも良い場合は単に同期信号という）及びキーボード／マウス５０から入力された信号（これを操作信号という）を送信又は受信できる構成であれば、如何なるものでもよい。
【００３３】
ＬＡＮケーブル１００は、例えばＣａｔ５Ｅストレートケーブルであり、４対（計８本）の信号線を含む。各画像信号は、それぞれ差動信号として送信装置１０から受信装置２０へ送信されるため、画像信号毎に１対の信号線を占有する。従って、３つの画像信号、即ちＲＧＢ信号で３対の信号線を占有する。残りの１対の信号線は、キーボード／マウス５０から入力された操作信号を受信装置２０から送信装置１０へ送信するために使用される。尚、後述するように、水平同期信号はＧ信号に重畳され、垂直同期信号はＢ信号に重畳されるので、水平同期信号及び垂直同期信号がそれぞれ独立して信号線を占有することはない。
【００３４】
送信装置１０は、パーソナルコンピュータやワークステーションやその他の情報処理装置等で構成されたサーバ３０から画像信号（ＲＧＢ），水平同期信号及び垂直同期信号を入力するためのディスプレイコネクタとしてＶＧＡ（Ｖｉｄｅｏ  Ｇｒａｐｈｉｃｓ  Ａｒｒａｙ）コネクタ１０Ｂを有する。このＶＧＡコネクタ１０Ｂには、例えばＢＮＣコネクタやＤ−ｓｕｂ１５ｐｉｎコネクタ等の一般的なコネクタを使用することができる。
【００３５】
また、送信装置１０は、受信装置２０を介して入力したキーボード／マウス５０の操作信号をサーバ３０へ入力するためのキーボード／マウスコネクタ１０Ｃを有する。このキーボード／マウスコネクタ１０Ｃは、例えばＰＳ／２コネクタやＵＳＢ（Ｕｎｉｖｅｒｓａｌ  Ｓｅｒｉａｌ  Ｂｕｓ）コネクタやその他のシリアルコネクタ等、一般的なキーボード及びマウスの接続に使用されるコネクタを使用することができる。
【００３６】
尚、サーバ３０には、一般的な情報処理装置と同様に、画像信号（ＲＧＢ）を出力するためのＶＧＡコネクタ３０Ａと、キーボードやマウスから操作信号を入力するためのキーボード／マウスコネクタ３０Ｂとが設けられている。従って、送信装置１０の筐体表面に設けられたＶＧＡコネクタ１０Ｂは、例えばＢＮＣケーブルやＤ−ｓｕｂ１５ｐｉｎケーブル等を用いて構成したＲＧＢケーブル２００Ａを用いて、サーバ３０の筐体表面に設けられているＶＧＡコネクタ３０Ａに接続される。また同じく、送信装置１０の筐体表面に設けられたキーボード／マウスコネクタ１０Ｃは、例えばＰＳ／２ケーブルやＵＳＢケーブルやその他のシリアルケーブル等、一般的なキーボード及びマウスの接続に使用されるケーブル３００Ａを用いて、サーバ３０の筐体表面に設けられているキーボード／マウスコネクタ３０Ｂに接続される。
【００３７】
受信装置２０は、ディスプレイ４０へ画像信号（ＲＧＢ），水平同期信号及び垂直同期信号を出力するためのディスプレイコネクタとしてＶＧＡ（Ｖｉｄｅｏ  Ｇｒａｐｈｉｃｓ  Ａｒｒａｙ）コネクタ２０Ｂを有する。このＶＧＡコネクタ２０Ｂには、例えばＢＮＣコネクタやＤ−ｓｕｂ１５ｐｉｎコネクタ等の一般的なコネクタを使用することができる。ＶＧＡコネクタ２０Ｂには、ディスプレイ４０に設けられたＲＧＢケーブル２００Ｂが接続される。ＲＧＢケーブル２００Ｂは、例えばＢＮＣケーブルやＤ−ｓｕｂ１５ｐｉｎケーブル等で構成されている。      
【００３８】
また、受信装置２０は、キーボード／マウス５０から操作信号を入力するためのキーボード／マウスコネクタ２０Ｃを有する。このキーボード／マウスコネクタ２０Ｃは、例えばＰＳ／２コネクタやＵＳＢコネクタやその他のシリアルコネクタ等、一般的なキーボード及びマウスの接続に使用されるコネクタを使用することができる。キーボード／マウスコネクタ２０Ｃには、キーボード／マウス５０に設けられたケーブル３００Ｂが接続される。ケーブル３００Ｂは、例えばＰＳ／２ケーブルやＵＳＢケーブルやその他のシリアルケーブル等、一般的なキーボード及びマウスの接続に使用されるケーブル等で構成されている。
【００３９】
次に、送信装置１０及び受信装置２０の内部構成について図面を用いて詳細に説明する。尚、以下の説明では、Ｒ，Ｇ，Ｂの画像信号のうち画像信号（Ｇ）に水平同期信号を重畳し、画像信号（Ｂ）に垂直同期信号を重畳する場合を例に挙げて説明する。
【００４０】
図２は、送信装置１０の内部構成を示すブロック図である。図２に示すように、送信装置１０は、ＶＧＡコネクタ１０Ｂから入力された画像信号（ＲＧＢ）のうち、画像信号（Ｇ）に水平同期信号を重畳し、画像信号（Ｂ）に垂直同期信号を重畳するための同期信号・画像信号重畳回路１１ａ，１１ｂを有する。
【００４１】
同期信号・画像信号重畳回路１１ａには、画像信号（ＲＧＢ）のうち画像信号（Ｇ）が入力される。また、同期信号・画像信号重畳回路１１ａには、水平同期信号も入力される。更に、同期信号・画像信号重畳回路１１ａには、常時、中間電位（ＤＣ）が印加されている。また同様に、同期信号・画像信号重畳回路１１ｂには、画像信号（ＲＧＢ）のうち画像信号（Ｂ）が入力される。また、同期信号・画像信号重畳回路１１ｂには、垂直同期信号も入力される。更に、同期信号・画像信号重畳回路１１には、常時、中間電位（ＤＣ）が印加されている。尚、一般的な画像信号（ＲＧＢ）の電圧レベルは高くとも１Ｖ程度であり、一般的な同期信号の電圧レベルは内部電圧レベルと同等な５Ｖ程度である。また、中間電位（ＤＣ）は、画像信号の電圧レベルよりも大きく、同期信号の電圧レベルよりも低い値に設定される。本実施の形態では、これを２．５Ｖとする。
【００４２】
同期信号・画像信号重畳回路１１ａ及び１１ｂの動作を、図３を用いて詳細に説明する。尚、同期信号・画像信号重畳回路１１ａ及び１１ｂの構成及び動作は共に同様であるため、以下では同期信号・画像信号重畳回路１１ａの構成及び動作についてのみ説明する。図３（ａ）は重畳する前の水平同期信号と画像信号（Ｇ）と中間電位（ＤＣ）とを示す。図３（ｂ）はこれらを重畳した後の重畳信号を示す。
【００４３】
同期信号・画像信号重畳回路１１ａは、マルチプレクサを含む。水平同期信号はマルチプレクサの出力を切り替える切替信号として使用する。同期信号・画像信号重畳回路１１ａは、図３（ａ）のように、水平同期信号が入力された期間、出力に中間電位（ＤＣ）を選択し、これ以外の期間、画像信号（Ｇ）を選択して出力する。これにより、図３（ｂ）に示すように、電圧レベルが２．５Ｖとなる水平同期信号が画像信号（Ｇ）に重畳された重畳信号を得ることができる。
【００４４】
尚、本実施形態では画像信号（Ｒ）以外の画像信号（Ｇ），（Ｂ）にそれぞれ同期信号を重畳するように構成したが、これに限定されず、何れの画像信号と同期信号との組み合わせであっても良い。
【００４５】
以上のように得られた画像信号（Ｒ）、画像信号（Ｇ）と水平同期信号との重畳信号及び画像信号（Ｂ）と垂直同期信号との重畳信号は、ネットワークＩ／Ｆ１０Ａに入力される。ネットワークＩ／Ｆ１０Ａは、入力された各信号をＬＡＮケーブル１００における予め定められた何れかの信号線に割り当て、これを受信装置２０へ送信する。
【００４６】
図４は、受信装置２０の内部構成を示すブロック図である。図４に示すように、受信装置２０は、ネットワークＩ／Ｆ２０Ａで受信された信号のうち、画像信号（Ｇ）と水平同期信号との重畳信号及び画像信号（Ｂ）と垂直同期信号との重畳信号をそれぞれ分離する同期信号・画像信号分離回路２１ａ，２１ｂと、水平同期信号及び垂直同期信号をそれぞれ検出する同期信号検出回路２２ａ，２２ｂと、画像信号（Ｇ）、画像信号（Ｂ）及び画像信号（Ｒ）の時間的な遅延量をそれぞれ調整するアナログディレイ回路２３ａ，２３ｂ，２３ｃと、水平同期信号及び垂直同期信号の遅延量（具体的には遅延時間）をそれぞれ調整するディレイ回路２４ａ，２４ｂと、ディレイ回路２４ａ，２４ｂの遅延量（具体的には遅延時間）をそれぞれ制御するための制御マイコン２５とを有する。アナログディレイ回路２３ａ，２３ｂ，２３ｃは、画像信号を通過させるため、特に高周波数帯域での伝送特性がよい回路で構成されるが、ディレイ回路２４ａ，２４ｂは、画像信号を通過させる必要がないので、安価な素子で構成することができる。
【００４７】
同期信号・画像信号分離回路２１ａ，２１ｂ及び同期信号検出回路２２ａ，２２ｂは１つのＩＣチップで構成されていてもよく、アナログディレイ回路２３ａ，２３ｂ，２３ｃも１つのＩＣチップで構成されていてもよい。
【００４８】
ユーザが、キーボード／マウス５０からある特殊キーの組み合わせ（例えば、Ｆ１キー＋Ｅｎｔｅｒキー）を受信装置２０に入力すると、ディレイ回路２４ａ，２４ｂの遅延量（具体的には遅延時間）の設定モードに移行する。ユーザは、設定モードの状態で、キーボードのカーソルキー、「＋」キー及び「−」キー、又はマウスのスクロールボタンを操作することで、ディレイ回路２４ａ，２４ｂの遅延量を入力する。又は、設定モードの状態に移行したときに、ディスプレイ４０が図５に示すユーザインターフェースを表示する。ユーザは、このユーザインターフェース上で、ディレイ回路２４ａ，２４ｂの遅延量を入力する。制御マイコン２５は、キーボード／マウス５０から入力されたディレイ回路２４ａ，２４ｂの遅延量をディレイ回路２４ａ，２４ｂに設定する。
【００４９】
同期信号・画像信号分離回路２１ａ及び同期信号検出回路２２ａには、画像信号（Ｇ）と水平同期信号との重畳信号が入力される。また、同期信号検出回路２２ａには基準信号Ｖｒｅｆも入力される。この基準信号Ｖｒｅｆは、中間電位（ＤＣ）の電圧レベル（但し、受信側での電圧レベル）よりも低く、且つ画像信号の電圧レベルよりも高い電圧レベルに設定される。本実施の形態では、これを例えば２．０Ｖとする。同様に、同期信号・画像信号分離回路２１ｂ及び同期信号検出回路２２ｂには、画像信号（Ｂ）と垂直同期信号との重畳信号が入力される。また、同期信号検出回路２２ｂには上記と同様の基準信号Ｖｒｅｆも入力される。尚、同期信号・画像信号分離回路２１ａ及び２１ｂ、並びに同期信号検出回路２２ａ及び２２ｂの構成及び動作は、それぞれ同様であるため、以下では、同期信号・画像信号分離回路２１ａと同期信号検出回路２２ａとの構成及び動作についてのみ説明する。
【００５０】
同期信号検出回路２２ａは、比較器（コンパレータ）を含んで構成される。同期信号検出回路２２ａは入力された基準信号Ｖｒｅｆをトリガレベルとする。従って、図６（ａ）に示すように、入力された画像信号（Ｇ）と水平同期信号との重畳信号の電圧レベルがＶｒｅｆを超えた期間、水平同期信号を出力する（図６（ｂ）参照）。出力された水平同期信号は、ディレイ素子２４ａへ入力されると共に、同期信号・画像信号分離回路２１ａへ入力される。
【００５１】
同期信号・画像信号分離回路２１ａは、マルチプレクサを含んで構成される。同期信号検出回路２２ａで検出された水平同期信号は、マルチプレクサの出力を切り替える切替信号として使用される。同期信号・画像信号分離回路２１ａは、図７（ａ）のように、水平同期信号が入力されたとき、出力に接地電位を選択し、これ以外のとき、画像信号（Ｇ）と水平同期信号との重畳信号を選択して、画像信号（Ｇ）のみを取り出して出力する（図７（ｂ）参照）。
【００５２】
以上のようにして、分離された画像信号（Ｇ），（Ｂ）、水平同期信号及び垂直同期信号のうち、画像信号（Ｇ），（Ｂ）は、それぞれアナログディレイ回路２３ａ，２３ｂに入力される。尚、アナログディレイ回路２３ａ，２３ｂ，２３ｃの構成及び動作は、それぞれ同様であるため、以下では、アナログディレイ回路２３ａの構成及び動作についてのみ説明する。
【００５３】
アナログディレイ回路２３ａは、図８に示すように遅延素子２３ａ−１を有する。遅延素子２３ａ−１は、可変インピーダンスＬ0と、これに直列に接続された抵抗Ｒ0とを有する。抵抗Ｒ0の他の一端は接地されている。可変インピーダンスＬ0のインピーダンス調整機構は、素子外部の調整つまみ２３ａ−２に連結される。従って、ユーザは調整つまみ２３ａ−２を操作することで、遅延素子２３ａ−１による遅延量を調整することができる。尚、遅延素子２３ａ−１の入力段には入力整合抵抗Ｒinが設けられ、インピーダンス整合が図られている。
【００５４】
以上のようなアナログディレイ回路２３ａ，２３ｂ，２３ｃを用いて各画像信号（ＲＧＢ）の遅延量を調整することで、図９に示すように各画像信号（ＲＧＢ）の遅延量の差（遅延時間の差）が存在した場合でも、これらの同期を得ることが可能となる。また、上述したように、キーボード／マウス５０からディレイ回路２４ａ，２４ｂの遅延量を入力することで、水平同期信号及び垂直同期信号の遅延を解消することができる。このとき、ディレイ回路２４ａの遅延量がアナログディレイ回路２３ａで調整した遅延量と同一に、ディレイ回路２４ｂの遅延量がアナログディレイ回路２３ｂで調整した遅延量と同一になるように、キーボード／マウス５０からディレイ回路２４ａ，２４ｂの遅延量を入力する。これは、水平同期信号が画像信号（Ｇ）に重畳されているので、画像信号（Ｒ）に対する水平同期信号及び画像信号（Ｇ）の遅延量が同一なためである。同様に、垂直同期信号が画像信号（Ｂ）に重畳されているので、画像信号（Ｒ）に対する垂直同期信号及び画像信号（Ｂ）の遅延量が同一なためである。
【００５５】
アナログディレイ回路２３ａ，２３ｂ，２３ｃを介して遅延量が調整された画像信号及びディレイ回路２４ａ，２４ｂを介して遅延量が調整された水平同期信号及び垂直同期信号は、ディスプレイ４０に出力され、画像又は映像等が表示される。
【００５６】
以上詳細に説明したように、本実施の形態によれば、送信装置１０の同期信号・画像信号重畳回路１１ａ，１１ｂが複数の画像信号のうち、少なくとも１つの画像信号に同期信号を重畳し、重畳信号として受信装置２０に出力し、受信装置２０の同期信号・画像信号分離回路２１ａ，２１ｂが重畳信号に含まれる画像信号及び同期信号を分離し、アナログディレイ回路２３ａ，２３ｂが他の画像信号に対する分離された画像信号の遅延量を調整し、制御マイコン２５及びディレイ回路２４ａ，２４ｂが分離された同期信号の遅延量を調整する。よって、画像信号の遅延量だけでなく、同期信号の遅延量も調整されるので、画像信号が長距離伝送される場合でも良好な画像を取得することができる。
【００５７】
また、制御マイコン２５は、キーボード／マウス５０からの分離された同期信号の遅延量を入力するので、ユーザが、分離された同期信号の遅延量を調整することができる。
【００５８】
尚、本実施の形態では、制御マイコン２５は、キーボード／マウス５０から入力された遅延量を使って、ディレイ回路２４ａ，２４ｂに遅延量を設定したが、ＬＡＮケーブル１００の仕様等からディレイ回路２４ａ，２４ｂの遅延量が分かっている場合には、予めディレイ回路２４ａ，２４ｂにそれぞれの遅延量を設定しておいてもよい。
【００５９】
（第２の実施の形態）
図１０は、第２の実施の形態に係る受信装置２０の内部構成を示すブロック図であり、図１１は、第２の実施の形態に係る送信装置１０の内部構成を示すブロック図である。
【００６０】
尚、第１の実施の形態の受信装置２０及び送信装置１０と同一の構成には、同一の参照番号を付して説明する。
【００６１】
本実施の形態は、第１の実施の形態と相違して、水平同期信号及び垂直同期信号の遅延量の調整を送信装置１０で実行する。
【００６２】
図１０の受信装置２０は、図４の受信装置２０と異なり、水平同期信号及び垂直同期信号の遅延量の調整を行うためのディレイ回路２４ａ，２４ｂを備えていない。このため、制御マイコン２５は、ディレイ回路２４ａ，２４ｂに接続されていない。
【００６３】
図１１の送信装置１０は、図２の送信装置１０と異なり、同期信号・画像信号重畳回路１１ａの水平同期信号の入力経路に水平同期信号の遅延量の調整を行うためのディレイ回路１３ａ、同期信号・画像信号重畳回路１１ｂの垂直同期信号の入力経路に垂直同期信号の遅延量の調整を行うためのディレイ回路１３ｂ、及びディレイ回路１３ａ，１３ｂの遅延量（具体的には遅延時間）をそれぞれ制御するための制御マイコン１２を備えている。
【００６４】
以下、図１０及び図１１を参照しながら受信装置２０及び送信装置１０の動作を説明する。
【００６５】
まず、ユーザが、キーボード／マウス５０からある特殊キーの組み合わせ（例えば、Ｆ１キー＋Ｅｎｔｅｒキー）を受信装置２０に入力すると、ディレイ回路１３ａ，１３ｂの遅延量（具体的には遅延時間）の設定モードに移行する。ユーザは、設定モードの状態で、キーボードのカーソルキー、「＋」キー及び「−」キー、又はマウスのスクロールボタンを操作することで、ディレイ回路１３ａ，１３ｂの遅延量を入力する。又は、設定モードの状態に移行したときに、ディスプレイ４０が図５に示すユーザインターフェースを表示する。ユーザは、このユーザインターフェース上で、ディレイ回路１３ａ，１３ｂの遅延量を入力する。
【００６６】
制御マイコン２５は、キーボード／マウス５０から入力されたディレイ回路１３ａ，１３ｂの遅延量を示す信号を送信装置１０に送信する。
【００６７】
送信装置１０の制御マイコン１２は、制御マイコン２５からディレイ回路１３ａ，１３ｂの遅延量を示す信号を受信し、ディレイ回路１３ａの遅延量を示す信号をディレイ回路１３ａへ、ディレイ回路１３ｂの遅延量を示す信号をディレイ回路１３ｂへそれぞれ設定する。
【００６８】
ディレイ回路１３ａは、設定された遅延量に基づいて、入力された水平同期信号を遅延し、同期信号・画像信号重畳回路１１ａに出力する。ディレイ回路１３ｂは、設定された遅延量に基づいて、入力された垂直同期信号を遅延し、同期信号・画像信号重畳回路１１ｂに出力する。
【００６９】
同期信号・画像信号重畳回路１１ａは、画像信号（Ｇ）に遅延した水平同期信号を重畳した重畳信号を受信装置２０へ出力する。同期信号・画像信号重畳回路１１ｂは、画像信号（Ｂ）に遅延した垂直同期信号を重畳した重畳信号を受信装置２０へ出力する。
【００７０】
その後、受信装置２０では、第１の実施の形態で説明したように、画像信号（Ｇ）に遅延した水平同期信号を重畳した重畳信号は、画像信号（Ｇ）と遅延した水平同期信号とに分離され、画像信号（Ｂ）に遅延した垂直同期信号を重畳した重畳信号は、画像信号（Ｂ）と遅延した垂直同期信号とに分離される。画像信号（Ｇ）及び画像信号（Ｂ）の遅延量は、第１の実施の形態で説明したように、アナログディレイ回路２３ａ，２３ｂを用いて調整され、画像信号（Ｇ）及び画像信号（Ｂ）は画像信号（Ｒ）と同期する。
【００７１】
水平同期信号及び垂直同期信号の遅延量は既に送信装置１０で調整されているので、水平同期信号及び垂直同期信号はそのままディスプレイ４０に出力される。
【００７２】
以上詳細に説明したように、本実施の形態によれば、受信装置２０の同期信号・画像信号分離回路２１ａ，２１ｂが重畳信号に含まれる画像信号及び同期信号を分離し、アナログディレイ回路２３ａ，２３ｂが他の画像信号に対する分離された画像信号の遅延量を調整し、送信装置１０のディレイ回路１３ａ，１３ｂが受信装置２０に送信される前の同期信号の遅延量を調整し、同期信号・画像信号重畳回路１１ａ，１１ｂが重畳信号に含まれる対象の画像信号にディレイ回路１３ａ，１３ｂで調整された遅延量を有する同期信号を重畳し、重畳信号として受信装置２０に出力する。よって、画像信号の遅延量だけでなく、同期信号の遅延量も調整されるので、画像信号が長距離伝送される場合でも良好な画像を取得することができる。
【００７３】
尚、本実施の形態では、制御マイコン２５は、キーボード／マウス５０から入力された遅延量を使って、ディレイ回路１３ａ，１３ｂに遅延量を設定したが、ＬＡＮケーブル１００の仕様等からディレイ回路１３ａ，１３ｂの遅延量が分かっている場合には、予めディレイ回路１３ａ，１３ｂにそれぞれの遅延量を設定しておいてもよい。
【００７４】
（第３の実施の形態）
図１２は、第３の実施の形態に係る受信装置２０の内部構成を示すブロック図である。尚、第１の実施の形態の受信装置２０と同一の構成には、同一の参照番号を付して説明する。
【００７５】
本実施の形態は、第１の実施の形態と相違して、画像信号間の遅延量並びに水平同期信号及び垂直同期信号の遅延量の調整を自動化する。これを実現するために、本実施の形態では、第１の実施の形態におけるアナログディレイ回路２３ａ及びディレイ回路２４ａがディレイ回路６０ａに置き換えられている。同様に、アナログディレイ回路２３ｂ及びディレイ回路２４ｂがディレイ回路６０ｂに置き換えられている。尚、ディレイ回路６０ａ，６０ｂの構成及び動作は同様であるため、以下では、ディレイ回路６０ａの構成及び動作についてのみ説明する。
【００７６】
ディレイ回路６０ａは、ディレイ素子６１ａ−１，６１ａ−２，６１ａ−３と、ディレイ素子６２ａ−１，６２ａ−２，６２ａ−３と、カウンタ６３ａと、デコーダ６４ａと、マルチプレクサ６５ａ，６６ａとを備えている。
【００７７】
カウンタ６３ａには、画像信号（Ｒ）と、同期信号・画像信号分離回路２１ａから出力された画像信号（Ｇ）と、所定周期のクロック信号とが入力される。カウンタ６３ａは、画像信号（Ｒ）が入力されると、カウントアップを開始し、画像信号（Ｇ）が入力されるとカウント値をアップを終了する。その後、カウンタ６３ａは、この際のカウント値をデコーダ６４ａへ入力すると共に、カウント値をリセットする。尚、画像信号（Ｇ）が画像信号（Ｒ）よりも常に遅いタイミングでカウンタへ入力されるように構成するために、同期信号・画像信号分離回路２１ａの出力段、又はカウンタ６３ａにおける画像信号（Ｇ）の入力段には、予測される遅延量の差以上、信号を遅延させるディレイ素子６７ａを設けておく。これにより、画像信号（Ｒ）が常に画像信号（Ｇ）よりも先にカウンタ６３ａに入力される。
【００７８】
また、同期信号・画像信号分離回路２１ａから出力された画像信号（Ｇ）は、上記のディレイ素子６７ａの通過後、分岐して複数（図１２では例として３つ）のディレイ素子６１ａ−１，６１ａ−２，６１ａ−３に入力される。各ディレイ素子６１ａ−１，６１ａ−２，６１ａ−３の遅延量は異なる。各ディレイ素子６１ａ−１，６１ａ−２，６１ａ−３の出力は、マルチプレクサ６５ａに入力される。
【００７９】
また、同期信号検出回路２２ａで検出された水平同期信号は、分岐して複数のディレイ素子６２ａ−１，６２ａ−２，６２ａ−３に入力される。各ディレイ素子６２ａ−１，６２ａ−２，６２ａ−３の遅延量は異なるが、ディレイ素子６２ａ−１の遅延量はディレイ素子６１ａ−１の遅延量と同一であり、ディレイ素子６２ａ−２の遅延量はディレイ素子６１ａ−２の遅延量と同一であり、ディレイ素子６２ａ−３の遅延量はディレイ素子６１ａ−３の遅延量と同一である。例えば、ディレイ素子６１ａ−１の遅延量が１０ｎｓ、ディレイ素子６１ａ−２の遅延量が２０ｎｓ、及びディレイ素子６１ａ−３の遅延量が３０ｎｓである場合には、ディレイ素子６２ａ−１の遅延量は１０ｎｓ、ディレイ素子６１ａ−２の遅延量は２０ｎｓ、及びディレイ素子６１ａ−３の遅延量は３０ｎｓとなる。各ディレイ素子６２ａ−１，６２ａ−２，６２ａ−３の出力は、マルチプレクサ６５ａに入力される。
【００８０】
デコーダ６４ａは、カウンタ６３ａから入力されたカウント値をデコードし、マルチプレクサ６５ａ，６６ａにデコード値に対応する選択信号を入力する。従って、マルチプレクサ６５ａは、選択信号に基づいて、ディレイ素子６１ａ−１，６１ａ−２，６１ａ−３のいずれか１つで遅延された画像信号（Ｇ）を選択的に出力する。同様に、マルチプレクサ６６ａは、選択信号に基づいて、ディレイ素子６２ａ−１，６２ａ−２，６２ａ−３のいずれか１つで遅延された水平同期信号を選択的に出力する。尚、マルチプレクサ６５ａ，６６ａに入力される選択信号は同一であるため、遅延量が同一のディレイ素子の組み合わせが選択される。即ち、選択されるパターンは、ディレイ素子６１ａ−１，６２ａ−１の組み合わせ、ディレイ素子６１ａ−２，６２ａ−２の組み合わせ、ディレイ素子６１ａ−３，６２ａ−３の組み合わせの３通りである。
【００８１】
これにより、最も適した遅延がなされた画像信号（Ｇ）及び水平同期信号を自動的に選択して出力することが可能となる。尚、その他の構成は、調整つまみ２３ａ−２，２３ｂ−２が省略される以外、第１の実施の形態と同様であるため、ここでは説明を省略する。
【００８２】
以上詳細に説明したように、本実施の形態によれば、送信装置１０の同期信号・画像信号重畳回路１１ａ，１１ｂが複数の画像信号のうち、少なくとも１つの画像信号に同期信号を重畳し、重畳信号として受信装置２０に出力し、受信装置２０の同期信号・画像信号分離回路２１ａ，２１ｂが重畳信号に含まれる画像信号及び同期信号を分離し、ディレイ回路６０ａが他の画像信号に対する分離された画像信号の遅延量を調整すると共に画像信号の遅延量と同一の遅延量となるように、分離された同期信号の遅延量を自動調整する。よって、画像信号の遅延量に合わせて、同期信号の遅延量も自動調整されるので、画像信号が長距離伝送される場合でも良好な画像を取得することができる。
【００８３】
また、ディレイ回路６０ａは、遅延量の異なる複数のディレイ素子６１ａ−１，６１ａ−２，６１ａ−３及びこれらのディレイ素子とそれぞれ同一の遅延量を有する複数のディレイ素子６２ａ−１，６２ａ−２，６２ａ−３を備え、受信装置２０は、他の画像信号の入力に応じてカウントを開始し、分離された画像信号の入力に応じてカウントを終了するカウンタ６３ａ、カウンタ６３ａのカウント値をデコードするデコーダ６４ａ、複数のディレイ素子６１ａ−１，６１ａ−２，６１ａ−３及び複数のディレイ素子６２ａ−１，６２ａ−２，６２ａ−３の中からデコーダ６４ａでデコードされたカウント値にそれぞれ対応する複数のディレイ素子を選択するマルチプレクサ６５ａ，６６ａを備えている。
【００８４】
よって、遅延量の異なる複数のディレイ素子６１ａ−１，６１ａ−２，６１ａ−３のうち、選択されたディレイ素子と同一の遅延量を有するディレイ素子６２ａ−１，６２ａ−２，６２ａ−３のいずれか１つを用いて同期信号の遅延量が自動調整されるので、画像信号が長距離伝送される場合でも良好な画像を取得することができる。尚、ディレイ回路６０ｂも同様の構成を備えているので、上記と同様の効果を奏する。
【００８５】
（第４の実施の形態）
図１３は、第４の実施の形態に係る受信装置２０の内部構成を示すブロック図であり、図１４は、第４の実施の形態に係る送信装置１０の内部構成を示すブロック図である。
【００８６】
尚、第３の実施の形態の受信装置２０及び第１の実施の形態の送信装置１０と同一の構成には、同一の参照番号を付して説明する。
【００８７】
本実施の形態は、第３の実施の形態と相違して、画像信号間の遅延量の調整を受信装置２０で自動的に実行し、水平同期信号及び垂直同期信号の遅延量の調整を送信装置１０で自動的に実行する。
【００８８】
図１３の受信装置２０は、図１２の受信装置２０と異なり、ディレイ素子６２ａ−１，６２ａ−２，６２ａ−３，６２ｂ−１，６２ｂ−２，６２ｂ−３及びマルチプレクサ６６ａ，６６ｂを備えていない。
【００８９】
図１４の送信装置１０では、図２の送信装置１０と異なり、同期信号・画像信号重畳回路１１ａの水平同期信号の入力経路に、ディレイ素子６１ａ−１の遅延量と同一の遅延量を有するディレイ素子１４ａ−１、ディレイ素子６１ａ−２の遅延量と同一の遅延量を有するディレイ素子１４ａ−２、ディレイ素子６１ａ−３の遅延量と同一の遅延量を有するディレイ素子１４ａ−３、及びマルチプレクサ１５ａを備えており、更に、同期信号・画像信号重畳回路１１ｂの垂直同期信号の入力経路に、ディレイ素子６１ｂ−１の遅延量と同一の遅延量を有するディレイ素子１４ｂ−１、ディレイ素子６１ｂ−２の遅延量と同一の遅延量を有するディレイ素子１４ｂ−２、ディレイ素子６１ｂ−３の遅延量と同一の遅延量を有するディレイ素子１４ｂ−３、及びマルチプレクサ１５ｂを備えている。
【００９０】
以下、図１３及び図１４を参照しながら受信装置２０及び送信装置１０の動作を説明するが、第１〜第３の実施の形態と重複する説明は省略する。
【００９１】
図１３の受信装置２０において、デコーダ６４ａは、カウンタ６３ａから入力されたカウント値をデコードし、マルチプレクサ６５ａにデコード値に対応する選択信号を入力すると共に送信装置１０のマルチプレクサ１５ａにその選択信号を出力する。デコーダ６４ｂも、カウンタ６３ｂから入力されたカウント値をデコードし、マルチプレクサ６５ｂにデコード値に対応する選択信号を入力すると共に送信装置１０のマルチプレクサ１５ｂにその選択信号を出力する。
【００９２】
図１４の送信装置１０において、水平同期信号は、分岐して複数のディレイ素子１４ａ−１，１４ａ−２，１４ａ−３に入力される。各ディレイ素子１４ａ−１，１４ａ−２，１４ａ−３の遅延量は異なる。マルチプレクサ１５ａは、受信装置２０のデコーダ６４ａから出力される選択信号に基づいて、ディレイ素子１４ａ−１，１４ａ−２，１４ａ−３のいずれか１つで遅延された水平同期信号を同期信号・画像信号重畳回路１１ａに選択的に出力する。同期信号・画像信号重畳回路１１ａは、画像信号（Ｇ）に遅延した水平同期信号を重畳した重畳信号を受信装置２０へ出力する。
【００９３】
垂直同期信号は、分岐して複数のディレイ素子１４ｂ−１，１４ｂ−２，１４ｂ−３に入力される。各ディレイ素子１４ｂ−１，１４ｂ−２，１４ｂ−３の遅延量は異なる。マルチプレクサ１５ｂは、受信装置２０のデコーダ６４ｂから出力される選択信号に基づいて、ディレイ素子１４ｂ−１，１４ｂ−２，１４ｂ−３のいずれか１つで遅延された垂直同期信号を同期信号・画像信号重畳回路１１ｂに選択的に出力する。同期信号・画像信号重畳回路１１ｂは、画像信号（Ｂ）に遅延した垂直同期信号を重畳した重畳信号を受信装置２０へ出力する。
【００９４】
その後、受信装置２０では、第１の実施の形態で説明したように、画像信号（Ｇ）に遅延した水平同期信号を重畳した重畳信号は、画像信号（Ｇ）と遅延した水平同期信号とに分離され、画像信号（Ｂ）に遅延した垂直同期信号を重畳した重畳信号は、画像信号（Ｂ）と遅延した垂直同期信号とに分離される。画像信号（Ｇ）及び画像信号（Ｂ）の遅延量は、第３の実施の形態で説明したように、ディレイ素子６１ａ−１，６１ａ−２，６１ａ−３のいずれか１つ及びマルチプレクサ６５ａ、並びにディレイ素子６１ｂ−１，６１ｂ−２，６１ｂ−３及びマルチプレクサ６５ｂを用いて調整され、画像信号（Ｇ）及び画像信号（Ｂ）は画像信号（Ｒ）と同期する。
【００９５】
水平同期信号及び垂直同期信号の遅延量は既に送信装置１０で調整されているので、水平同期信号及び垂直同期信号はそのままディスプレイ４０に出力される。
【００９６】
以上詳細に説明したように、本実施の形態によれば、受信装置２０の同期信号・画像信号分離回路２１ａ，２１ｂが重畳信号に含まれる画像信号及び同期信号を分離し、ディレイ回路６０ａ，６０ｂが他の画像信号に対する分離された画像信号の遅延量を調整し、送信装置１０のディレイ素子１４ａ−１，１４ａ−２，１４ａ−３のいずれか１つ及びディレイ素子１４ｂ−１，１４ａ−２，１４ａ−３のいずれか１つが受信装置２０に送信される前の同期信号の遅延量を調整し、同期信号・画像信号重畳回路１１ａ，１１ｂが重畳信号に含まれる対象の画像信号にディレイ素子１４ａ−１，１４ａ−２，１４ａ−３のいずれか１つ及びディレイ素子１４ｂ−１，１４ａ−２，１４ａ−３のいずれか１つで調整された遅延量を有する同期信号を重畳し、重畳信号として受信装置２０に出力する。よって、画像信号の遅延量だけでなく、同期信号の遅延量も調整されるので、画像信号が長距離伝送される場合でも良好な画像を取得することができる。
【００９７】
また、ディレイ回路６０ａは、遅延量の異なる複数のディレイ素子６１ａ−１，６１ａ−２，６１ａ−３を備え、受信装置２０は、他の画像信号の入力に応じてカウントを開始し、分離された画像信号の入力に応じてカウントを終了するカウンタ６３ａ、カウンタ６３ａのカウント値をデコードするデコーダ６４ａ、複数のディレイ素子６１ａ−１，６１ａ−２，６１ａ−３の中からデコーダ６４ａでデコードされたカウント値にそれぞれ対応するディレイ素子を選択するマルチプレクサ６５ａを備え、送信装置１０は、ディレイ素子６１ａ−１，６１ａ−２，６１ａ−３とそれぞれ同一の遅延量を有する複数のディレイ素子１４ａ−１，１４ａ−２，１４ａ−３、及び複数のディレイ素子１４ａ−１，１４ａ−２，１４ａ−３の中からデコーダ６４ａでデコードされたカウント値にそれぞれ対応するディレイ素子を選択するマルチプレクサ１５ａを備えている。
【００９８】
よって、遅延量の異なる複数のディレイ素子６１ａ−１，６１ａ−２，６１ａ−３のうち、選択されたディレイ素子と同一の遅延量を有するディレイ素子１４ａ−１，１４ａ−２，１４ａ−３のいずれか１つを用いて同期信号の遅延量が自動調整されるので、画像信号が長距離伝送される場合でも良好な画像を取得することができる。尚、ディレイ回路６０ｂも同様の構成を備えているので、上記と同様の効果を奏する。
【００９９】
尚、上記第１〜第４の実施の形態では、水平同期信号及び垂直同期信号をそれぞれ画像信号（Ｇ）及び画像信号（Ｂ）に重畳させているが、水平同期信号及び垂直同期信号が１つに合成されたコンポジットタイプの同期信号を使用してもよい。この場合、例えば、コンポジットタイプの同期信号を画像信号（Ｇ）に重畳させる。このように、コンポジットタイプの同期信号を使用した場合には、重畳回路、分離回路、検出回路及びディレイ回路などが１つで済み、送信装置１０及び受信装置２０をコンパクトにできると共に製造コストを減らすことができる。
【０１００】
本発明は、上述した実施の形態に限定されるものではなく、その要旨を逸脱しない範囲内で種々変形して実施することが可能である。
【図面の簡単な説明】
【０１０１】
【図１】本発明の第１の実施の形態に係る信号伝送システムの構成を示すブロック図である。
【図２】送信装置１０の内部構成を示すブロック図である。
【図３】（ａ）は重畳前の水平同期信号、画像信号（Ｇ）及び中間電位（ＤＣ）の波形を示す図であり、（ｂ）はこれらを重畳した後の重畳信号の波形を示す図である。
【図４】受信装置２０の内部構成を示すブロック図である。
【図５】ユーザインターフェースの一例を示す図である。
【図６】（ａ）は画像信号（Ｇ）と水平同期信号との重畳信号の波形を示す図であり、（ｂ）は分離後の水平同期信号の波形を示す図である。
【図７】（ａ）は画像信号（Ｇ）と水平同期信号との重畳信号及び水平同期信号の波形を示す図であり、（ｂ）は分離後の画像信号（Ｇ）の波形を示す図である。
【図８】アナログディレイ回路２３ａの回路図である。
【図９】ＲＧＢの画像信号、水平同期信号、及び垂直同期信号の遅延量が調整される様子を示す図である。
【図１０】第２の実施の形態に係る受信装置２０の内部構成を示すブロック図である。
【図１１】第２の実施の形態に係る送信装置１０の内部構成を示すブロック図である。
【図１２】第３の実施の形態に係る受信装置２０の内部構成を示すブロック図である。
【図１３】第４の実施の形態に係る受信装置２０の内部構成を示すブロック図である。
【図１４】第４の実施の形態に係る送信装置１０の内部構成を示すブロック図である。
【符号の説明】
【０１０２】
１０  送信装置
１１ａ，１１ｂ  同期信号・画像信号重畳回路
１２  制御マイコン
１３ａ，１３ｂ  ディレイ回路
２０  受信装置
２１ａ，２１ｂ  同期信号・画像信号分離回路
２２ａ，２２ｂ  同期信号検出回路
２３ａ，２３ｂ，２３ｃ  アナログディレイ回路
２４ａ，２４ｂ  ディレイ回路
２５  制御マイコン
３０  サーバ
４０  ディスプレイ
５０  キーボード／マウス
６１ａ−１，６１ａ−２，６１ａ−３，６２ａ−１，６２ａ−２，６２ａ−３，６１ｂ−１，６１ｂ−２，６１ｂ−３，６２ｂ−１，６２ｂ−２，６２ｂ−３  ディレイ素子
６３ａ，６３ｂ  カウンタ
６４ａ，６４ｂ  デコーダ
６５ａ，６５ｂ，６６ａ，６６ｂ  マルチプレクサ
【図１】
2009130442.tif 000003
【図２】
2009130442.tif 000004
【図３】
2009130442.tif 000005
【図４】
2009130442.tif 000006
【図５】
2009130442.tif 000007
【図６】
2009130442.tif 000008
【図７】
2009130442.tif 000009
【図８】
2009130442.tif 000010
【図９】
2009130442.tif 000011
【図１０】
2009130442.tif 000012
【図１１】
2009130442.tif 000013
【図１２】
2009130442.tif 000014
【図１３】
2009130442.tif 000015
【図１４】
2009130442.tif 000016